(57)【要約】【課題】仏壇は折りたたみでき、かつ線香やローソクを供えられるとともに収納保持することも可能な携帯仏壇を提供する。【解決手段】額縁様の枠体２，２二つをヒンジ連結３により開閉自在に形成した枠体２に透明板４を組み合わせ、その背部に収納部５付き蓋６を開閉自在に取り付けて成る前記枠体２の一方下端部に、ロウソクＣ立て用の保持ピン付９き支持板８を、他方の枠体２には線香Ｄ用の保持具１４付き支持板８を回動自在に取り付けて成る携帯仏壇１本体に、別途に形成した保持穴１５付き受け皿１６を組み合わせて成る折りたたみ型の携帯仏壇１を構成する。【選択図】　図１
2004089648.tif 000002
【特許請求の範囲】
【請求項１】
折りたたみできる仏壇であって、額縁様の二つの枠体をヒンジ連結で開閉自在に形成した前記枠体に、透明板を組み合わせた背面に蓋を取り付けた一方の枠体の下端部に、ロウソク立て用の保持ピン付き支持板を、他方の枠体下端部には線香用の保持具付き支持板それぞれを回動自在に取り付けて成る携帯仏壇本体に、別途に形成される保持穴付き受け皿を組み合わせて成る構成を特徴とする折りたたみ型携帯仏壇。
【請求項２】
枠体の背部に位置する蓋が、内側に収納部を有する蓋で形成される請求項１に記載する折りたたみ型携帯仏壇。
【請求項３】
携帯仏壇本体に組み合わされる受け皿が、中央にヒンジ折り部を施して二つ折りできる板面の前部に皿縁を設け、後部に枠板の厚みと同じ間隔を成す二枚の保持縁を一体形成して成る請求項１又は請求項２に記載する折りたたみ型携帯仏壇。
【請求項４】
携帯仏壇本体が、枠体の両側に幅の狭い二つの副枠体を観音開き状に取り付けて成る請求項１〜請求項３のいずれか一つの項に記載する折りたたみ型携帯仏壇。
【発明の詳細な説明】
【０００１】
【発明の属する技術分野】
本発明は、出張や旅行の際にも気軽に携行して、亡くなった身内はもとより可愛がっていたペットなどの供養がどこでもできる携帯仏壇に関する。
【０００２】
【従来の技術】
従来より、仏壇は屋内に配置する大型の家具調タイプはもとより、出張や旅行においても持参してご先祖の供養ができる携帯仏壇や公知公開技術が提供されている。携帯仏壇として公開される技術としては実登第３０６６５７３号に示すものとして、見開き状に形成した手帳型の外装１の内面に形成した装填部６に、カード状の戒名入り位牌又は写真５を収納できる携帯用仏壇を形成することで、旅行などの際にはカバンに入れて携行し、旅先でも手軽に供養できる技術である。
【０００３】
また特開平１１−１１３７３１による技術は、持ち運びできる取っ手１付きの携帯ボックス型の箱の蓋裏に三面鏡風の掛け軸掛け２を設けた下部に、仏具が納められる引き出し４を組み合わせた簡易携帯仏壇とすることで、どんな場所でも、又何処にでも気軽に簡単に持ち運びのできる仏壇である。
【０００４】
【発明が解決しようとする課題】
以上のような携帯仏壇が提供されており、それぞれ目的とする携帯性はあるが、実際面において以下に示すような不便や欠点があった。まず実登第３０６６５７３号による技術は、手帳型を成す見開き状の外装１の内側面にカード状の戒名札や写真５を収納できる装填部６を設けたものであり、単に額縁体二つを連結したり、二つ折りパス入れ様を成すだけの形態であり、また装填部６や収納口いずれも開口しているため、埃やゴミが入るので収納物が汚れてしまう。また見た目にも体裁のよいものでないことに加え、仏壇に最も必要な線香やローソクを供えられる構成ではなく、機能性も含めてとても仏壇と言える技術ではない。
【０００５】
さらに特開平１１−１１３７３１に示す技術は、仏具一式を収納できる引き出し４付きのボックスタイプの仏壇であるので、カバンやバッグに入れて旅行などに携行できる大きさでないことはもとより、重量もあるため気軽に持ち歩けるような仏壇とは言えないなどの不便や欠点が多い技術である。
【０００６】
【課題を解決するための手段】
本発明は以上のような従来の携帯仏壇がもつ不便や欠点を解消するものであり、その構成として、額縁様の枠体二つをヒンジ連結したそれぞれに透明板を組み合わせた背部を、故人の写真や戒名札などを納められるスペースとする部位に、ローソクや線香などの収納部付き蓋を開閉自在に取り付けて成る前記枠体の下端部に、ロウソク立て用の保持ピンや線香用の保持具を取り付けた支持板を回動自在に取り付けた携帯仏壇本体に、別途に形成したロウソクの垂れや線香の灰を保持する受け皿を組み合わせた折りたたみ型の携帯仏壇を構成する。
【０００７】
【発明の実施の形態】
以上のような携帯仏壇１を構成するために、実施例１は額縁様の枠体２二つをヒンジ連結３した背部に、収納部５付き蓋６を取り付け、さらに枠体２の下端部の一方にはローソクＣ立て用の保持ピン９を、他方には線香Ｄ保持用の保持具１４を有する各支持板８それぞれを可動状態に取り付けたものに、別途に形成される受け皿１６を組み合わせた携帯仏壇１を構成する。
【０００８】
実施例２の携帯仏壇１の本体は実施例１と同様であるが、それに組み合わされる受け皿１６ａは、中央を二つ折りできる板材の前部に皿縁１８を設け、後部には携帯仏壇１の枠板２の厚みと同じ間隔を形成する二枚の保持縁１９を設けた受け皿１６ａを、前記携帯仏壇１に組み合わせるものとする。
【０００９】
実施例３の携帯仏壇１本体は、前記実施例１及び２タイプと基本構成は同じであるが、枠体２の両サイドに幅が半分の副枠体２ａ，２ａ二つを取り付けて三面鏡状にすることで、収納部を三か所形成した携帯仏壇１を形成する。以上のような折りたたみ型の携帯仏壇１を構成するが、さらに具体的な実施例を以下に示す。
【００１０】
【実施例】
実施例１
本発明の携帯仏壇の実施例１を図１に示す一部分解した斜視図と図２に示す一部開放した背面側の斜視図、図３の線香保持具を示す拡大斜視図及び図４の収納折りたたみ例を示す斜視図を参照して説明する。
【００１１】
実施例１の携帯仏壇１は、額縁様の二つの枠体２，２をヒンジ連結３で開閉自在に形成した枠体２それぞれに、透明板４を組み合わせて成る背部を、故人の写真Ａや戒名札Ｂ又は経文などの収納スペースとする部位の上下枠を、左右枠より２倍程度幅を広くし、その上下枠間に、内側に収納部５を有する蓋６をヒンジ連結３部寄りに軸７をもって開閉自在に取り付けて携帯仏壇１本体を形成する。
【００１２】
次に、前記した二つの枠体２，２の一方下端部には、枠体２と同じ幅で長さが少し短い支持板８の一方にローソクＣ立て用の保持ピン９を付けた端部を、前記枠体２の外側寄りに軸ピン１０で回動軸止し、さらに前記保持ピン９が収まる溝穴１１をヒンジ連結３部寄り下部の枠体２に設ける。
【００１３】
さらに他方の枠体２下端部には、同じ幅と長さの支持板８の一方に、図３に示すような軸管１２に足１３を付けた線香Ｄ用の保持具１４を取り付けた端部を、前記枠体２の外側寄りに軸ピン１０で回動軸止し、その枠体２のヒンジ連結３部寄りには、前記同様に保持具１４が収まる溝穴１１を設けて成る携帯仏壇１本体を形成した、前記各支持板８，８に設けたローソクＣ用の保持ピン９及び線香Ｄ用の保持具１４それぞれに、別途に形成した保持穴１５付き受け皿１６二つを組み合わせて、実施例１の折りたたみ型の携帯仏壇１を構成する。
【００１４】
実施例１は以上のような構成であるので、使用する時は、まず枠体２の中に故人の写真Ａや戒名札Ｂ又は経文などを納めた枠体２は二つ折りでき、さらに蓋６には収納部５を設けているので、予備のローソクＣや線香Ｄを収納できる。加えて枠体２下部に設けた支持板８を引き出した後に、保持ピン９及び保持具１４に受け皿１６を組み合わせるとローソクＣの垂れや線香Ｄの灰を保持するので周囲を汚すことはない。また線香Ｄの保持具１４は、図３のように軸管１２下部に足１３を設けた開放部Ｅを形成するので、仮に軸管１２内に燃えた線香Ｄが残っても開放部Ｅより除去できる。加えて収納時は受け皿１６を取り外してから枠体２側に折りたためるとともに、受け皿１６二つを図４のように枠体２の透明板４面に位置して閉じると、一冊の本のようにコンパクトに折りたためられる。
【００１５】
実施例２
実施例２の携帯仏壇を図５に示す斜視図と図６に示す受け皿の斜視図を参照して説明する。
実施例２に示す携帯仏壇１の本体は前記実施例１と同じであるが、それに組み合わされる受け皿１６ａが異なる。まず携帯仏壇１は二つの枠体２がヒンジ連結３で開閉するものに透明板４を備えた背部に、収納部５付き蓋６を軸７で取り付けた枠体２の下端部に、ローソクＣ用の保持ピン９付き支持板８と線香Ｄ用の保持具１４付き支持板８それぞれを回動軸止して成る前記枠体２，２に、溝穴１１を設けた携帯仏壇１本体を形成する。
【００１６】
次に、以上のような携帯仏壇１本体に組み合わされる受け皿１６ａは、図６に示すように、ポリプレピレン等の合成樹脂素材による、少なくとも前記枠体２の内側の２倍以内の大きさの板材面中央に、二つ折りできるヒンジ折り部１７を施した受け皿１６ａの前部側に低い皿縁１８を設け、他方、後部側には前記携帯仏壇１本体を広げた状態の枠体２と同じ幅を有する二枚の保持縁１９，１９を、約１２０〜１５０度くらいの角度に設けた受け皿１６ａを一体形成し、その受け皿１６ａを前記携帯仏壇１本体に組み合わせて実施例２の携帯仏壇１を構成する。
【００１７】
本実施例２の携帯仏壇１は以上のように構成するが、その構成における受け皿１６ａを組み合わせる時は、受け皿１６ａを展開してから、携帯仏壇１本体の下部を二枚の保持縁１９，１９の間に差し込むと保持固定されるとともに、各支持板８、８、及び保持ピン９、保持具１４は受け皿１６ａ面の中ほどに位置される。また収納時は、受け皿１６ａを二つ折りすると枠体２の内側の透明板４面に納まる大きさに折りたためられる。
【００１８】
実施例３
実施例３の携帯仏壇本体を図７に示す斜視図を参照して説明する。
この実施３における携帯仏壇１本体は、前記実施例１及び２と異なり大小三つの枠体で形成されるタイプである。まず基本となる透明板４付き枠体２の両サイドに、前記枠体２の半分の幅を有する透明板４付き副枠体２ａ，２ａをヒンジ連結３により観音開き状に形成し、その枠体２の背部には単一の蓋６を開閉自在に取り付け、他方、左右の副枠体２ａ，２ａの背面には、実施例１〜２と同様の収納部５付き蓋６を開閉自在に取り付ける。
【００１９】
さらに前記副枠体２ａの一方下端部には保持ピン９付き支持板８を、他方の副枠体２ａには保持具１４付き支持板８それぞれを可動軸止するとともに、各副枠体２ａ，２ａには前記実施例と同様の溝穴１１を設けて実施例３の携帯仏壇１本体を構成する。
【００２０】
実施例３の携帯仏壇１は以上のような構成であり、それに組み合わされるロウソクＣの垂れや線香Ｄの灰の受け皿１６，１６ａ（図示せず省略）は、実施例１タイプの受け皿１６を組み合わせてもよいし、また実施例２タイプの受け皿１６ａを採用する際は、実施例３の携帯仏壇１本体を広げた状態に合う略台形状の保持縁１９，１９を有するものであればよく、基本的には実施例２と同じでよい。さらに前記した受け皿１６ａはヒンジ折り部１７で二つ折りすれば、枠体２の内側に納めて折りたたむことができる。加えて中央の枠体２は正面位置に形成できるので見やすく、安定感もあり折りたたむ際は三面鏡様に閉じられる。尚、支持板８，８はそれぞれ副枠体２ａ，２ａに取り付けているが、枠体２側に付けても差し支えないし、また収納部５も枠板２側の蓋６に設けてもよい。
【００２１】
本発明の携帯仏壇１は以上のような各実施例を成すが、その構成における枠体２の素材は合成樹脂でも木材でも構わない。また蓋６はヒンジ連結であるがスライドや他の方法でもよいし、受け皿１６，１６ａは耐熱性があれば合成樹脂素材でも金属素材であっても差し支えず、いずれも特に限定するものではない。
【００２２】
【発明の効果】
この発明における携帯仏壇は以上のような構成であるので、次に示すような特徴や効果を提供する。
携帯仏壇は額縁様の枠体を二つ又は三つをヒンジ連結しているので、展開した時は大きく、収納する時はブックサイズに小さく折りたためるので、出張や旅行などの際でも気軽にカバンやバッグなどに入れて携行することが可能である。しかもコンパクトでありながらも、裏蓋にはローソクや線香など収納できるとともに、枠体の下端部に引き出し式のローソク立てや線香保持具を備えているので、本体を組み立てれば直に供養の線香を上げたりローソクを灯すことができるうえ、その線香の灰やロウソクの垂れも専用の受け皿で保持できるので、周囲を汚したり火災要因を招く心配もない。
【００２３】
加えて実施例２タイプの受け皿は携帯仏壇本体を嵌め込める保持縁を形成しているので、安定して保持固定するとともに、収納時は二つ折りすれば実施例１タイプと同様に枠体の内側に納められる。以上のような従来には見られないコンパクトにして機能的な仏壇であるので、人はもとよりペットなどの写真など入れてどこでも供養ができる文房具感覚で使えるユニークな携帯仏壇を提供する。
【図面の簡単な説明】
【図１】本発明の実施例１の携帯仏壇を示す一部分解した斜視図である。
【図２】実施例１の携帯仏壇の背部を示す一部開放した斜視図である。
【図３】実施例１の線香の保持具を示す拡大斜視図である。
【図４】実施例１の携帯仏壇の折りたたみ例を示す斜視図である。
【図５】実施例２の携帯仏壇を示す斜視図である。
【図６】実施例２の受け皿を示す斜視図である。
【図７】実施例３の携帯仏壇本体を示す一部開放した斜視図である。
【符号の説明】
１・携帯仏壇
２・枠体
２ａ・副枠体
３・ヒンジ連結
４・透明板
５・収納部
６・蓋
７・軸
８・支持板
９・保持ピン
１０・軸ピン
１１・溝穴
１２・軸管
１３・足
１４・保持具
１５・保持穴
１６・受け皿
１６ａ・受け皿
１７・ヒンジ折り部
１８・皿縁
１９・保持縁
Ａ・写真
Ｂ・戒名札
Ｃ・ロウソク
Ｄ・線香
Ｅ・開放部
【図１】
2004089648.tif 000003
【図２】
2004089648.tif 000004
【図３】
2004089648.tif 000005
【図４】
2004089648.tif 000006
【図５】
2004089648.tif 000007
【図６】
2004089648.tif 000008
【図７】
2004089648.tif 000009